(57)【要約】【課題】インターネットを利用することによって、商店のチラシ広告を、即座に地元の消費者が見られるようにする方法を提供する。【解決手段】提供者Ｙは、広告主Ｘから提供された紙のチラシＰａを画像入力装置４ｙで電子化し、その電子化されたチラシＰｂをコンピュータシステム３ｙにより定サイズに加工してホームページＨのディープリンクするチラシ掲載ページ６に掲載できるようにし、前記ホームページＨにそのチラシ広告Ｐの案内をするチラシ掲載一覧表７を掲載した一覧表ページ８を作成して、その一覧表７には、店名及びディープリンクページアドレス９を区分け表示してそのディープリンクページアドレス９からその広告主Ｘのチラシ広告Ｐを掲載してあるチラシ掲載ページ６へリンクできるようにする。そして、ユーザーＺがホームページＨに掲載されたチラシ掲載一覧表７を見て、そこからチラシ広告Ｐが閲覧できるようにする。【選択図】　　　　図１
2004054299.tif 000002
【特許請求の範囲】
【請求項１】
広告主（Ｘ）と、インターネットサーバ（２）を備えた広告サービスの提供者（Ｙ）と、インターネットのユーザー（Ｚ）とがインターネット通信網（１）を介して各々の所有するプログラムソフトウェアが搭載されたコンピュータシステム（３ｘ）、（３ｙ）、（３ｚ）に接続され、前記提供者（Ｙ）は前記広告主（Ｘ）と提供者（Ｙ）のホームページ（Ｈ）に広告主（Ｘ）が提供したチラシ広告（Ｐ）を掲載する旨のチラシ掲載契約を結び、前記提供者（Ｙ）は、広告主（Ｘ）から紙のチラシ（Ｐａ）またはそのチラシ（Ｐａ）を画像入力装置（４ｘ）により電子化されたチラシ（Ｐｂ）の提供を受けて、紙のチラシ（Ｐａ）については画像入力装置（４ｙ）で電子化して、前記電子化されたチラシ（Ｐｂ）をコンピュータシステム（３ｙ）により定サイズに加工して前記ホームページ（Ｈ）に設けたチラシ掲載ページ（６）に掲載できるようにし、また、前記ホームページ（Ｈ）には掲載チラシの一覧表ページ（８）を設けてそこに表示された一覧表（７）には、広告主（Ｘ）の店名、ディープリンクページアドレス（９）又はそれをクリックするためのボタンを含む商店情報のデータを区分け表示し、そのディープリンクページアドレス（９）からその広告主（Ｘ）が提供したチラシ広告（Ｐ）を掲載してあるチラシ掲載ページ（６）へリンクできるようにし、ユーザー（Ｚ）が前記ホームページ（Ｈ）に掲載された前記チラシ掲載一覧表（７）を見てその一覧表（７）からディープリンクページアドレス（９）又はそれをクリックするためのボタンの部分にポインターを当ててクリックすることにより前記チラシ広告（Ｐ）が閲覧できるようにしたことを特徴とするインターネットによる即時的チラシ掲載方法。
【請求項２】
提供者（Ｙ）は、チラシ掲載ページ（６）に、広告主（Ｘ）のホームページ（Ｈｐ）のＵＲＬファイルへハイパーリンクされるリンク先クリックポイント（１１）を設けたことを特徴とする請求項１に記載のインターネットによる即時的チラシ掲載方法。
【請求項３】
提供者（Ｙ）のコンピュータシステム（３ｙ）のコンピュータ（１０ｙ）に、電子化されたチラシ（Ｐｂ）を読み込むと、広告主（Ｘ）毎に管理されているデータを基に、搭載したプログラムソフトウェアによって前記データからの一覧表ページ（８）の自動作成と、電子化されたチラシ（Ｐｂ）画像からのチラシ掲載ページ（６）の自動作成とができるようにしたことを特徴とする請求項１又は２に記載のインターネットにより即時的チラシ掲載方法。
【請求項４】
提供者（Ｙ）は、一覧表ページ（８）への表示において、搭載したプログラムソフトウェアによって、広告主（Ｘ）の店舗住所地を中心に表示希望区域の限定をし、提供者（Ｙ）のコンピュータシステム（３ｙ）のコンピュータ（１０ｙ）で、アクセスしたユーザー（Ｚ）の住所地のデータを基にそのユーザー（Ｚ）の住所地が広告主（Ｘ）の表示希望区域の範囲内であったときに前記一覧表ページ（８）の一覧表に掲載されたユーザー（Ｚ）に対する一覧表ページ（８）が自動的に作成され、その一覧表ページ（８）をユーザー（Ｚ）が閲覧できるようにしたことを特徴とする請求項１乃至３のうちいずれか一項に記載のインターネットによる即時的チラシ掲載方法。
【請求項５】
提供者（Ｙ）は、一覧表ページ（８）への表示において、搭載したプログラムソフトウェア５よって、広告主（Ｘ）の店舗住所地を中心に表示希望区域の限定をし、提供者（Ｙ）のコンピュータシステム（３ｙ）のコンピュータ（１０ｙ）で、アクセスしたユーザー（Ｚ）の指定した住所地が広告主（Ｘ）の表示希望区域の範囲内であったときに前記一覧表ページ（８）の一覧表に掲載されたユーザー（Ｚ）に提供さける一覧表ページ（８）が自動的に作成され、その一覧表ページ（８）をユーザー（Ｚ）が閲覧できるようにしたことを特徴とする請求項１乃至４のうちいずれか一項に記載のインターネットによる即時的チラシ掲載方法。
【請求項６】
提供者（Ｙ）は、ユーザー（Ｚ）の希望によりメールリストに登録し、ユーザー（Ｚ）の指定した店舗のチラシ広告を定期的にメール配信できるようにしたことを特徴とする請求項１乃至５のうちいずれか一項に記載のインターネットによる即時的チラシ掲載方法。
【請求項７】
提供者（Ｙ）は、ユーザー（Ｚ）の希望によりメールリストに登録し、ユーザー（Ｚ）の住所地又は指定した住所地が広告主（Ｘ）の表示希望区域の範囲内である店舗のチラシ広告を定期的にメール配信できるようにしたことを特徴とする請求項１乃至５のうちいずれか一項に記載のインターネットによる即時的チラシ掲載方法。
【請求項８】
提供者（Ｙ）は、ユーザー（Ｚ）をチラシ広告のモニター会員登録をして、氏名、住所、年齢、性別などの会員属性のデータを登録し、その会員のチラシ掲載ページ（６）へのアクセスデータを取得して、広告主（Ｘ）に前記会員属性データをから導かれる自社チラシのアクセス統計データを自動作成し、その作成統計データを広告主（Ｘ）が閲覧できるようにしたことを特徴とする請求項１乃至７のうちいずれか一項に記載のインターネットによる即時的チラシ掲載方法。
【請求項９】
提供者（Ｙ）が、インターネットのプロバイダ又はインターネットサーバ（２）を備えた情報サービス提供者である請求項１乃至８のうちいずれか一項に記載のインターネットによる即時的チラシ掲載方法。
【発明の詳細な説明】
【０００１】
【発明が属する技術分野】
本発明は、インターネット通信網を介して行われる商品の広告の方法に関する。
【０００２】
【従来の技術】
現在、コンピュータを用いたインターネットの使用者が急速に増加し、その普及は目覚しいものがある。
公開したホームページは世界の何処からでも閲覧することができるので、だれでもが各種情報を世界に発信することができるようになっている。
商品の広告についても、その内容を日本全国ないし世界各国へ発信できる点で極めて優れた広告媒体としてインターネットは広く利用されている。
【０００３】
一方、新聞の折込みやポスト配布などによって、地元商店のチラシが毎日数多く消費者の手元に配達されている。
その内容は、特売日の特売品の紹介、アルバイト求人の紹介、季節求人の案内、新商品の紹介、催物の紹介、イベント案内、商店新規オープンの案内など多種多様である。
特に、スーパーマーケットのチラシは毎日の食卓メニューと関係して、高い人気があり、買い物の計画を決めるのに、新聞を読む前に目を通すのが日課となっている主婦も多い。そのチラシは、主婦の一日の行動スケジュールを決めてしまう程大きな影響力を持つものである。
【０００４】
しかし、新聞の折込みチラシは、配達場所が同じ住所でも配達販売店や発行新聞社によって配布するものが異なる場合が多い。このため、最も利用している最寄のスーパーマーケットのチラシが折込まれないことがあったり、殆んど行かない遠くのスーパーマーケットのチラシが頻繁に折込まれていたりすることがある。
【０００５】
また、新聞などのチラシだけではなく、自社のホームページを利用して商品の案内を消費者に提供しようとする商店も現れている。
しかし、自社のホームページでは、それに対する積極的なアクセスがないと商品案内などの内容は消費者の目には全く触れなることがない。
【０００６】
通常、消費者のホームページへのアクセスはパターンが決まっていて、そのアクセスのコースにないホームページは殆んど見られない。
また、毎日ホームページの内容を更新することは、専門的なコンピュータ技術と大変な労力を要する。このため、これまではホームページ上に掲載する内容の毎日の書き換え更新をしている商店は殆んどないのが実情である。
【０００７】
【発明が解決しようとする課題】
本発明は、上記実情に鑑みてなされたもので、インターネットを利用することによって、商店などの広告主がコンピュータの専門技術がなくてもチラシ広告を簡単にホームページに掲載することができ、また、その店のチラシ広告を、地元の消費者などのユーザーが極めて素早く閲覧することができる広告方法を提供するものである。
【０００８】
【課題を解決するための手段】
本発明は、上記課題を解決するために、広告主Ｘと、インターネットサーバ２を備えた広告サービスの提供者Ｙと、インターネットのユーザーＺとがインターネット通信網１を介して各々の所有するプログラムソフトウェアが搭載されたコンピュータシステム３ｘ、３ｙ、３ｚに接続される。
【０００９】
そして、前記提供者Ｙは前記広告主Ｘと提供者ＹのホームページＨに広告主Ｘが提供したチラシ広告Ｐを掲載する旨のチラシ掲載契約を結び、前記提供者Ｙは、広告主Ｘから紙のチラシＰａまたはそのチラシＰａを画像入力装置４ｘにより電子化されたチラシＰｂの提供を受けて、紙のチラシＰａについては画像入力装置４ｙで電子化して、前記電子化されたチラシＰｂをコンピュータシステム３ｙにより定サイズに加工して前記ホームページＨに設けたチラシ掲載ページ６に掲載できるようにする。
【００１０】
また、前記ホームページＨには掲載チラシの一覧表ページ８を設けてそこに表示された一覧表７には、広告主Ｘの店名、ディープリンクページアドレス９又はそれをクリックするためのボタンを含む商店情報のデータを区分け表示し、そのディープリンクページアドレス９からその広告主Ｘが提供したチラシ広告Ｐを掲載してあるチラシ掲載ページ６へリンクできるようにする。
【００１１】
そして、ユーザーＺが前記ホームページＨに掲載された前記チラシ掲載一覧表７を見てその一覧表７からディープリンクページアドレス９又はそれをクリックするためのボタンの部分にポインターを当ててクリックすることにより前記チラシ広告Ｐが閲覧できるようにしたことを特徴とするインターネットによる即時的チラシ掲載方法である。
【００１２】
また、上記構成おいて、前記提供者Ｙは、チラシ掲載ページ６に、広告主ＸのホームページＨｐのＵＲＬファイルへハイパーリンクされるリンク先クリックポイント１１を設けたことを特徴とするものである。
【００１３】
さらに、上記構成おいて、前記提供者Ｙのコンピュータシステム３ｙのコンピュータ１０ｙに、電子化されたチラシＰｂを読み込むと、広告主Ｘ毎に管理されているデータを基に、搭載したプログラムソフトウェアによって前記データからの一覧表ページ８の自動作成と、電子化されたチラシＰｂ画像からのチラシ掲載ページ６の自動作成とができるようにしたことを特徴とするものである。
【００１４】
さらにまた、上記構成おいて、前記提供者Ｙは、一覧表ページ８への表示において、搭載したプログラムソフトウェアによって、広告主Ｘの店舗住所地を中心に表示希望区域の限定をし、提供者Ｙのコンピュータシステム３ｙのコンピュータ１０ｙで、アクセスしたユーザーＺの住所地のデータを基にそのユーザーＺの住所地が広告主Ｘの表示希望区域の範囲内であったときに前記一覧表ページ８の一覧表に掲載されたユーザーＺに対する一覧表ページ８が自動的に作成され、その一覧表ページ８をユーザーＺが閲覧できるようにしたことを特徴とするものである。
【００１５】
またさらに、上記構成おいて、前記提供者Ｙは、一覧表ページ８への表示において、搭載したプログラムソフトウェア５よって、広告主Ｘの店舗住所地を中心に表示希望区域の限定をし、提供者Ｙのコンピュータシステム３ｙのコンピュータ１０ｙで、アクセスしたユーザーＺの指定した住所地が広告主Ｘの表示希望区域の範囲内であったときに前記一覧表ページ８の一覧表に掲載されたユーザーＺに提供さける一覧表ページ８が自動的に作成され、その一覧表ページ８をユーザーＺが閲覧できるようにしたことを特徴とするものである。
【００１６】
また、上記構成おいて、前記提供者Ｙは、ユーザーＺの希望によりメールリストに登録し、ユーザーＺの指定した店舗のチラシ広告を定期的にメール配信できるようにしたことを特徴とするものである。
【００１７】
さらに、上記構成おいて、前記提供者Ｙは、ユーザーＺの希望によりメールリストに登録し、ユーザーＺの住所地又は指定した住所地が広告主Ｘの表示希望区域の範囲内である店舗のチラシ広告を定期的にメール配信できるようにしたことを特徴とするものである。
【００１８】
さらにまた、上記構成おいて、前記提供者Ｙは、ユーザーＺをチラシ広告のモニター会員登録をして、氏名、住所、年齢、性別などの会員属性のデータを登録し、その会員のチラシ掲載ページ６へのアクセスデータを取得して、広告主Ｘに前記会員属性データをから導かれる自社チラシのアクセス統計データを自動作成し、その作成統計データを広告主Ｘが閲覧できるようにしたことを特徴とするものである。
【００１９】
またさらに、上記構成おいて、前記提供者Ｙを、インターネットのプロバイダ又はインターネットサーバ２を備えた情報サービス提供者とするものである。
【００２０】
【発明の実施の形態】
本発明のインターネットによる即時的チラシ掲載方法の実施の形態を図の実施例に基づいて以下説明する。
【００２１】
本発明は、図１に示すように、広告主Ｘと、インターネットサーバ２を備えた広告サービスの提供者Ｙと、インターネットのユーザーＺとがインターネット通信網１を介して各々の所有するプログラムソフトウェアが搭載されたコンピュータシステム３ｘ、３ｙ、３ｚに接続される。
【００２２】
前記提供者Ｙは、インターネットのプロバイダ又はインターネットサーバ２を備えた情報サービス提供者である。
前記プロバイダとしては、接続プロバイダやイーメイルやチャットなどのサービスプロバイダが対象となる。
また、接続プロバイダは電話回線を利用するプロバイダや地域ケーブルテレビのケーブルを利用する接続プロバイダなどが対象となる。
【００２３】
そして、前記提供者Ｙは前記広告主Ｘと提供者ＹのホームページＨに広告主Ｘが提供したチラシ広告Ｐを掲載する旨のチラシ掲載契約を結び、前記提供者Ｙは、広告主Ｘから紙のチラシＰａまたはそのチラシＰａを画像入力装置４ｘにより電子化されたチラシＰｂの提供を受けて、紙のチラシＰａについては画像入力装置４ｙで電子化して、前記電子化されたチラシＰｂをコンピュータシステム３ｙにより定サイズに加工して前記ホームページＨに設けたチラシ掲載ページ６に掲載できるようにする。
【００２４】
より早く対応してホームページＨに掲載するために、提供される電子化されたチラシＰｂは広告主Ｘの指示によりチラシを作成する印刷会社から提供者Ｙへ直接にイーメイルで送信されたものを使用することもできる。
【００２５】
また、前記ホームページＨには掲載されたチラシ広告Ｐの案内をする掲載チラシの一覧表ページ８を設けてそこに表示された一覧表７には、広告主Ｘの店名、ディープリンクページアドレス９又はそれをクリックするためのボタンを含むその店のキャッチフレーズなどの商店情報のデータを区分け表示し、そのディープリンクページアドレス９からその広告主Ｘが提供したチラシ広告Ｐを掲載してあるチラシ掲載ページ６へリンクできるようにする。
【００２６】
そして、ユーザーＺが前記ホームページＨに掲載された前記チラシ掲載一覧表７を見てその一覧表７からディープリンクページアドレス９又はそれをクリックするためのボタンの部分にポインターを当ててマウスをクリックすることにより前記チラシ広告Ｐが閲覧できるようにする。
ユーザーＺは、そのチラシ広告Ｐをプリンタ１４から出力して紙に印刷することができる。
【００２７】
また、図１に示すように、前記提供者Ｙは、チラシ掲載ページ６に、広告主ＸのホームページＨｐのＵＲＬファイルへハイパーリンクされるリンク先クリックポイント１１を設けることができる。
【００２８】
さらに、前記提供者Ｙのコンピュータシステム３ｙのコンピュータ１０ｙに、電子化されたチラシＰｂを読み込むと、広告主Ｘ毎に管理されているデータを基に、搭載したプログラムソフトウェアによって前記データからの一覧表ページ８の自動作成と、電子化されたチラシＰｂ画像からのチラシ掲載ページ６の自動作成とができるようにすることができる。
【００２９】
さらにまた、前記提供者Ｙは、一覧表ページ８への表示において、搭載したプログラムソフトウェアによって、広告主Ｘの店舗住所地を中心に空間距離又は時間距離の消費者であるユーザーＺが買いに行ける商圏を考慮して送信表示希望区域の限定をし、提供者Ｙのコンピュータシステム３ｙのコンピュータ１０ｙで、アクセスしたユーザーＺの住所地のデータを基にそのユーザーＺの住所地が広告主Ｘの表示希望区域の範囲内であったときに前記一覧表ページ８の一覧表に掲載されたユーザーＺに対する一覧表ページ８が自動的に作成され、その一覧表ページ８をユーザーＺが閲覧できるようにする。
こうすれば、ユーザーＺは自己の住所地の近くである地元商店の店舗のみ閲覧できるようにすることができる。
【００３０】
またさらに、前記提供者Ｙは、一覧表ページ８への表示において、搭載したプログラムソフトウェア５よって、広告主Ｘの店舗住所地を中心に表示希望区域の限定をし、提供者Ｙのコンピュータシステム３ｙのコンピュータ１０ｙで、アクセスしたユーザーＺの指定した住所地が広告主Ｘの表示希望区域の範囲内であったときに前記一覧表ページ８の一覧表に掲載されたユーザーＺに提供さける一覧表ページ８が自動的に作成され、その一覧表ページ８をユーザーＺが閲覧できるようにすることができる。
こうすれば、ユーザーＺは指定した住所地の近くである商店の店舗のみ閲覧できるようにすることができる。
【００３１】
例えば、図２に示すように、スーパーＡ、八百屋Ｂ、靴屋Ｃ及びスーパーＤには夫々の限定された表示希望区域ａ、ｂ、ｃ及びｄが設定される。
そして、ユーザーＺの住所地近くの地元販売店としてはそのエリア内にあるスーパーＡ、八百屋Ｂ及び靴屋Ｃの各店舗のみ選択されてチラシ掲載一覧表７に、図３に示すように、表示される。
そのチラシ掲載一覧表７の各ディープリンクページアドレス９部分からスーパーＡ、八百屋Ｂ及び靴屋Ｃのチラシ広告Ｐを閲覧することができる。
【００３２】
また、例えば、図４に示すように、靴屋Ｃ及びスーパーＤには夫々の限定された表示希望区域ａ、ｂ、ｃ及びｄが設定される。指定した住所地Ｓの近くの商店としてはそのエリア内にある八百屋Ｂ及びスーパーＤのみ選択されてチラシ掲載一覧表７に、図４に示すように、表示される。
そのチラシ掲載一覧表７の各ディープリンクページアドレス９部分から八百屋Ｂ及びスーパーＤのチラシ広告Ｐを閲覧することができる。
【００３３】
また、前記提供者Ｙは、ユーザーＺの希望によりメールリストに登録し、ユーザーＺの指定した店舗のチラシ広告を定期的にメール配信できるようにすることができる。
【００３４】
さらに、前記提供者Ｙは、ユーザーＺの希望によりメールリストに登録し、ユーザーＺの住所地又は指定した住所地が広告主Ｘの表示希望区域の範囲内である店舗のチラシ広告を定期的にメール配信できるようにすることができる。
【００３５】
さらにまた、前記提供者Ｙは、ユーザーＺをチラシ広告のモニター会員登録をして、氏名、住所、年齢、性別などの会員属性のデータを登録し、その会員のチラシ掲載ページ６へのアクセスデータを取得して、広告主Ｘに前記会員属性データをから導かれる自社チラシのアクセス統計データを自動作成し、その作成統計データを広告主Ｘが閲覧できるようにすることができる。
【００３６】
提供者Ｙは、得られたデータからは、アクセス数によるポイント設定をして、そのポイント数によってユーザーＺに特典や景品を提供できるようにすることもできる。
また、アクセス数は広告主Ｘにとっても気になるデータなので、提供者Ｙは、これを確認できるサービスを広告主Ｘに提供できるようにすることもできる。
【００３７】
そして、チラシ掲載ページ６や一覧表ページ８などの得られたデータは、プリンタ１４から紙にプリントアウトして、そのまま買い物に利用することなどもできる。
【００３８】
【発明の効果】
本発明は以上のようであり、消費者であるユーザーＺは、インターネットを介してプロバイダなどの提供者ＹのホームページＨに掲載された地元商店のチラシ広告を、素早く見ることができるようになり、このことによりユーザーＺはその商店の特売品を、時宜を失せずに安く購入することができるようになる。
また、店舗を持つ広告主Ｘにとっては、ユーザーＺの入客増加によってその店の販売増加に役立てることができるようになる。
【００３９】
特に、これまでは、ホームページＨに載せる独自広告は、文書の作成方法や絵図などのイメージ取り込み方法などコンピュータ専門知識がないと作成することができず、また、その作成を専門家に依頼して即座に製作することが困難であった。
このため、例えば、スーパーマーケットなどの毎日ないし数日ごとに企画される特売日の案内などは、ホームページＨへの掲載することが容易にはできなかった。
【００４０】
しかし本発明では、例えば毎日、消費者に届けられる新聞折込みチラシなどの紙広告媒体が製作されて手元にあれば、それをそのまま簡単に利用することができるようになったので、当時や翌日の日時限定セールの案内など、時宜を失せずに極めて早くホームページＨへ掲載することが可能となった。
【図面の簡単な説明】
【図１】本発明のインターネット回線網で接続されたコンピュータシステムと広告主、提供者及びユーザーの関係を示す模式図。
【図２】一覧表に表示される送信希望区域の重なり状態を示す模式図。
【図３】ユーザーのモニタに表示された画面を示す模式図。
【図４】別のユーザーのモニタに表示された画面を示す模式図。
【符号の説明】
Ｘ　　広告主
Ｙ　　提供者
Ｚ　　ユーザー
Ｈ　　提供者のホームページ
Ｈｐ　広告主のホームページ
Ｐ　　チラシ広告
Ｐａ　紙のチラシ
Ｐｂ　電子化されたチラシ
１　　インターネット通信網
２　　インターネットサーバ
３ｘ　広告主のコンピュータシステム
３ｙ　提供者のコンピュータシステム
３ｚ　ユーザーのコンピュータシステム
４ｘ　広告主の画像入力装置
４ｙ　提供者の画像入力装置
５ｘ　広告主のスキャナ
５ｙ　提供者のスキャナ
６　　チラシ掲載ページ
７　　チラシ掲載一覧表
７ａ　チラシ掲載一覧表
７ｂ　チラシ掲載一覧表
８　　一覧表ページ
９　　ディープリンクページアドレス
１０ｙ　プロバイダのコンピュータ
１１　　リンク先クリックポイント
１２ｘ　広告主のデジタルカメラ
１２ｙ　提供者のデジタルカメラ
１３ｘ　広告主のモニタ
１３ｙ　提供者のモニタ
１３ｚ　ユーザーのモニタ
１４　　ユーザーのプリンタ
【図１】
2004054299.tif 000003
【図２】
2004054299.tif 000004
【図３】
2004054299.tif 000005
【図４】
2004054299.tif 000006